(57)【要約】【課題】内部メモリの消費を低減し、かつ、様々な内容のコンテンツを容易に再生可能な再生装置を提供する。【解決手段】本発明に係るテレビ１は、外部デバイス３０が接続されたとき、外部デバイス３０に記憶されているファイルであって、予め定められた識別子を含むファイル名を有するファイルを選択するファイル名選択部１２と、ファイル名選択部１２によりファイルが選択されたとき、選択されたファイルから読み出したコンテンツを再生するコンテンツ再生部１３とを備えている。【選択図】図１
2011166423.tif 000002
【特許請求の範囲】
【請求項１】
外部記憶装置が接続されたとき、当該外部記憶装置に記憶されているファイルであって、予め定められた識別子を含むファイル名を有するファイルを選択する選択手段と、
上記選択手段によりファイルが選択されたとき、選択されたファイルから読み出したコンテンツを再生する再生手段と、を備えている、
ことを特徴とする再生装置。
【請求項２】
上記選択手段は、上記識別子を含むファイル名を有するファイルであって、当該再生装置の属性または設定に合致しない文字列を含まないファイル名を有するファイルを選択する、
ことを特徴とする請求項１に記載の再生装置。
【請求項３】
上記選択手段は、上記識別子を含むファイル名を有するファイルであって、当該再生装置の属性または設定に合致しない文字列を含まないファイル名を有するファイルのうち、当該再生装置の属性または設定に合致する文字列を最も多く含むファイル名を有するファイルを選択する、
ことを特徴とする請求項２に記載の再生装置。
【請求項４】
上記属性は、当該再生装置の機種名、および、当該再生装置のディスプレイサイズの少なくとも何れかであり、上記設定は、当該再生装置における言語設定である、
ことを特徴とする請求項２または３に記載の再生装置。
【請求項５】
外部記憶装置に記憶されたコンテンツを再生装置が再生する再生方法であって、
上記外部記憶装置が上記再生装置に接続されたとき、再生装置が、上記外部記憶装置に記憶されているファイルであって、予め定められた識別子を含むファイル名を有するファイルを選択する選択ステップと、
上記再生装置が、上記選択ステップにて選択されたファイルから読み出したコンテンツを再生する再生ステップと、を含んでいる、
ことを特徴とする再生方法。
【請求項６】
請求項１から４までの何れか１項に記載の再生装置が備えているコンピュータを動作させるプログラムであって、上記コンピュータを上記の各手段として機能させるためのプログラム。
【請求項７】
請求項６に記載のプログラムを記録したコンピュータ読み取り可能な記録媒体。
【発明の詳細な説明】
【技術分野】
【０００１】
本発明は、外部記録装置に記憶されたコンテンツを再生する再生装置、及び、その再生に関する。
【背景技術】
【０００２】
近年、放送コンテンツのほかに、蓄積コンテンツを再生可能なテレビ（テレビジョン受像機）が一般化している。このようなテレビでは、内部メモリに予め色々なコンテンツが記憶されている。予め記憶されているコンテンツとしては、例えば、機能説明用コンテンツやデモ用コンテンツ（販促用コンテンツ）などが挙げられる。
【０００３】
テレビに予めコンテンツを記憶しておく技術として、特許文献１には、テレビに予め取扱説明情報を記録し、ユーザの指示によって表示画面に取扱説明情報を表示する技術が開示されている。
【０００４】
また、特許文献２には、内部メモリに予め語句に対応するコードを記録しておき、ユーザが選択した語句に対応するコードを外部記憶装置に記録し、そのコードに基づいて他の電子機器にて機能説明を見ることの出来る技術が開示されている。
【先行技術文献】
【特許文献】
【０００５】
【特許文献１】特開２００６−２１１３１５号公報（平成１８年８月１０日公開）
【特許文献２】特開２００７−１４８７６０号公報（平成１９年６月１４日公開）
【発明の概要】
【発明が解決しようとする課題】
【０００６】
しかしながら、特許文献１に記載の技術では、コンテンツは、テレビ、又はリモコン（リモートコントローラ）に記録されているため、その内容を容易に書き換えることが出来ず再生するコンテンツを変えられないという問題があった。また、予めテレビの内部メモリにコンテンツを記録しておくため、内部メモリの容量が少なくなってしまうという問題があった。
【０００７】
また、特許文献２に記載の技術においても、コンテンツと、対応したコードとを内部メモリに記憶しておく必要があるため、その内容を容易に書き換えることが出来ず、再生するコンテンツを変えられないという問題があった。また、内部メモリの容量が少なくなってしまうという問題があった。
【０００８】
本発明は、上記の課題を解決するためになされたものであり、その主たる目的は、内部メモリの消費を低減し、かつ、様々な内容のコンテンツを容易に再生可能な再生装置を提供することにある。
【課題を解決するための手段】
【０００９】
本発明に係る再生装置は、上記課題を解決するために、外部記憶装置が接続されたとき、当該外部記憶装置に記憶されているファイルであって、予め定められた識別子を含むファイル名を有するファイルを選択する選択手段と、上記選択手段によりファイルが選択されたとき、選択されたファイルから読み出したコンテンツを再生する再生手段と、を備えていることを特徴としている。
【００１０】
上記の構成によれば、当該再生装置に再生させたいコンテンツが格納されたファイルを上記外部記憶装置に記憶させ、そのファイルに上記識別子を含むファイル名を付与しておけば、上記外部記憶装置を当該再生装置に接続するだけで、当該再生装置に再生させたいコンテンツを当該再生装置に再生させることができる。例えば、デモ用コンテンツが格納されたファイルを上記外部記憶装置に記憶させ、そのファイルに上記識別子を含むファイル名を付与しておけば、上記外部記憶装置を当該再生装置に接続するだけで、当該再生装置に再生させたいデモ用コンテンツを当該再生装置に再生させることができる。しかも、この際、内部メモリを使用する必要がないので、内部メモリの消費を増大させることはない。また、外部記憶装置に新たなコンテンツが格納されたファイルを記憶させ、そのファイルに上記識別子を含むファイル名を付与することで、新たなコンテンツを当該再生装置に再生させることができる。
【００１１】
本発明に係る再生装置ではさらに、上記選択手段は、上記識別子を含むファイル名を有するファイルであって、当該再生装置の属性または設定に合致しない文字列を含まないファイル名を有するファイルを選択することが好ましい。
【００１２】
上記の構成によれば、当該再生装置の属性または設定に適したコンテンツを当該コンテンツ再生装置に再生させることができる。
【００１３】
本発明に係る再生装置ではさらに、上記選択手段は、上記識別子を含むファイル名を有するファイルであって、当該再生装置の属性または設定に合致しない文字列を含まないファイル名を有するファイルのうち、当該再生装置の属性または設定に合致する文字列を最も多く含むファイル名を有するファイルを選択することが好ましい。
【００１４】
上記の構成によれば、当該再生装置の属性または設定に最も適したコンテンツを当該コンテンツ再生装置に再生させることができる。
【００１５】
本発明に係る再生装置ではさらに、上記属性は、当該再生装置の機種名、および、当該再生装置のディスプレイサイズの少なくとも何れかであり、上記設定は、当該再生装置における言語設定であることが好ましい。
【００１６】
上記の構成によれば、当該再生装置の機種名およびディスプレイサイズの少なくとも何れか、および、当該再生装置の言語設定に適したコンテンツを当該コンテンツ再生装置に再生させることができる。
【００１７】
本発明に係る再生装置の再生方法は、外部記憶装置に記憶されたコンテンツを再生装置が再生する再生方法であって、上記外部記憶装置が上記再生装置に接続されたとき、再生装置が、上記外部記憶装置に記憶されているファイルであって、予め定められた識別子を含むファイル名を有するファイルを選択する選択ステップと、上記再生装置が、上記選択ステップにて選択されたファイルから読み出したコンテンツを再生する再生ステップと、を含んでいることを特徴としている。
【００１８】
上記の構成によれば、当該再生装置に再生させたいコンテンツが格納されたファイルを上記外部記憶装置に記憶させ、そのファイルに上記識別子を含むファイル名を付与しておけば、上記外部記憶装置を当該再生装置に接続するだけで、当該再生装置に再生させたいコンテンツを当該再生装置に再生させることができる。例えば、デモ用コンテンツが格納されたファイルを上記外部記憶装置に記憶させ、そのファイルに上記識別子を含むファイル名を付与しておけば、上記外部記憶装置を当該再生装置に接続するだけで、当該再生装置に再生させたいデモ用コンテンツを当該再生装置に再生させることができる。しかも、この際、内部メモリを使用する必要がないので、内部メモリの消費を増大させることはない。また、外部記憶装置に新たなコンテンツが格納されたファイルを記憶させ、そのファイルに上記識別子を含むファイル名を付与することで、新たなコンテンツを当該再生装置に再生させることができる。
【００１９】
なお、本発明に係る受信装置を動作させるためのプログラムであって、コンピュータを上記の各手段として機能させることを特徴とするプログラム、及び、それらのプログラムを記録したコンピュータ読み取り可能な記録媒体も本発明の範疇に含まれる。
【発明の効果】
【００２０】
本発明に係る再生装置は、以上のように、外部記憶装置が接続されたとき、当該外部記憶装置に記憶されているファイルであって、予め定められた識別子を含むファイル名を有するファイルを選択する選択手段と、上記選択手段によりファイルが選択されたとき、選択されたファイルから読み出したコンテンツを再生する再生手段と、を備えている。
【００２１】
したがって、内部メモリを設けることなく、外部記憶装置を再生装置に接続するだけで、再生装置に再生させたいコンテンツを再生装置に再生させることができる。しかも、再生装置に再生させるコンテンツは、容易に変更することが可能になる。
【図面の簡単な説明】
【００２２】
【図１】本発明の実施形態に係るテレビの構成を示す図である。
【図２】（ａ）は、デモ用ファイルに付与されるファイル名を例示した図であり、（ｂ）は、テレビの属性および設定と、テレビにて再生されるデモ用ファイルに付与されるファイル名との関係を例示した図である。
【図３】テレビが備える制御部の動作を示すフローチャートである。
【発明を実施するための形態】
【００２３】
本発明に係る再生装置の一実施形態について、図面に基づいて説明すれば、以下のとおりである。なお、本実施形態に係る再生装置は、テレビジョン受像機として実現されているので、以下、これをテレビと呼称する。
【００２４】
本実施形態に係るテレビ１の構成について、図１を参照して説明する。図１は、テレビ１の構成を示すブロック図である。テレビ１は、一言で言えば、外部デバイス３０が接続されたときに、外部デバイス３０に記憶されているデモ用コンテンツを自動的に再生するように構成されたテレビである。ここで、デモ用コンテンツとは、家電販売店等での再生に適した販促用のコンテンツのことを指す。デモ用コンテンツは、静止画像、動画像、及び、音声の何れであってもよい。
【００２５】
外部デバイス３０は、ＵＳＢメモリなどの外部記録装置である。外部デバイス３０には、デモ用コンテンツが格納されたファイル（以下、「デモ用ファイル」とも呼称する）が、その他のファイルと共に記憶されている。また、外部デバイス３０には、ファイル・フォルダ情報が記憶されている。ファイル・フォルダ情報には、外部デバイス３０に記憶されている各ファイルのファイル名が、そのファイルを内包するフォルダのフォルダ名と関連付けて記録されている。
【００２６】
テレビ１は、（１）デモ用ファイルを外部デバイス３０から読み出すと共に、読み出したデモ用ファイルに格納されたデモ用コンテンツを再生するための制御部１０と、（２）制御部１０にて再生されたデモ用コンテンツを表示するための表示部２０と、（３）テレビ１の属性を示す属性値やテレビ１の設定を示す設定値などを記憶するメモリ２１とを備えている。メモリ２１に記憶される属性値としては、テレビ１の機種名や、テレビ１のインチサイズ（インチ単位で表記されたディスプレイサイズ）などが挙げられる。また、メモリ２１に記憶される設定値としては、言語設定に関する設定値などが挙げられる。
【００２７】
なお、テレビ１は、図１に示した構成の他に、地上波デジタル放送などにより放送される放送コンテンツを再生するための構成や、ネットワークを介して配信されるＶＯＤ（ビデオ・オン・デマンド）コンテンツを再生するための構成を備えているが、何れも公知の構成であるため、ここではその説明を割愛する。
【００２８】
テレビ１の制御部１０は、図１に示すように、（１）外部デバイス３０からファイル・フォルダ情報を取得するファイル・フォルダ情報取得部１１と、（２）ファイル・フォルダ情報取得部１１が取得したファイル・フォルダ情報、及び、メモリ２１に記憶された各種情報に基づいて、再生すべきデモ用コンテンツが格納されたデモ用ファイルのファイル名を選択するファイル名選択部１２と、（３）ファイル名選択部１２が選択したファイル名を有するデモ用ファイルを外部デバイス３０から読み出すと共に、読み出したデモ用ファイルに格納されたデモ用コンテンツを再生するコンテンツ再生部１３とを含んでいる。
【００２９】
以下、ファイル名選択部１２において、再生すべきデモ用コンテンツが格納されたデモ用ファイルのファイル名を選択するファイル名選択処理について、図２を参照して説明する。
【００３０】
図２（ａ）は、デモ用ファイルに付与されるファイル名を例示した図である。
【００３１】
図２（ａ）に例示したように、デモ用ファイルのファイル名には、そのファイルに格納されたコンテンツがデモ用コンテンツであることを示す識別子が含まれる。図２（ａ）に示した例では、デモ用ファイルＦ１〜Ｆ４のファイル名に含まれる、文字列「Demo」がこの識別子に該当する。
【００３２】
また、デモ用ファイルのファイル名には、そのファイルに格納されたコンテンツを再生すべき再生環境を指定する再生環境指定文字列が含まれる。図２（ａ）に示した例では、ファイルＦ１のファイル名に含まれる、（１）機種名が「機種ａ」であるテレビにて再生すべきデモ用コンテンツが格納されていることを示す文字列「機種ａ」、（２）インチサイズが「４６」であるテレビにて再生すべきデモ用コンテンツが格納されていることを示す文字列「46in」、（３）言語設定の設定値が「英語」であるテレビにて再生すべきデモ用コンテンツが格納されていることを示す文字列「eng」が再生環境指定文字列に該当する。ファイルＦ２〜Ｆ３についても同様である。
【００３３】
ひとつのファイル名に複数の再生環境指定文字列を含める場合、各再生環境指定文字列は、セパレータ”_”により分離され、優先度の高い再生環境を指定する再生環境指定文字列から順に配列される。ここでは、機種名が最も優先度の高い再生環境、インチサイズが次に優先度の高い再生環境、言語設定が最も優先度の低い再生環境であるものとし、ファイルＦ１のファイル名を「Demo_機種a_46in_eng.mpg」のように構成している。なお、ファイル名の末尾は、ファイルタイプを示す拡張子であり、「.mpg」は、デモ用ファイルがＭＰＥＧファイル（動画ファイル）であることを示している。
【００３４】
なお、再生環境を問わない汎用デモ用コンテンツが格納されているファイル（以下「デフォルトファイル」とも呼称する）には、上述した識別子と拡張子とのみにより構成されるファイル名を付与するものとする。図２（ａ）に示した例では、ファイルＦ４に付与されたファイル名「Demo.jpg」がこれに該当する。
【００３５】
ファイル名選択部１２は、デモ用ファイルのファイル名に含まれる再生環境指定文字列を利用することによって、再生すべきデモ用コンテンツが格納されたファイルのファイル名を以下のように選択する。
【００３６】
ＳＴＥＰ１：ファイル・フォルダ名情報に含まれるファイル名のうち、識別子「Demo」を含むファイル名を、選択すべきファイル名の候補とする。
【００３７】
ＳＴＥＰ２：テレビ１の属性ないし設定に合致しない再生環境指定文字列を含むファイル名を、選択すべきファイル名の候補から除外する。例えば、テレビ１のインチサイズが「３２」である場合、「３２」以外のインチサイズを指定する再生環境指定文字列（例えば、「40in」や「42in」など）を含むファイル名を、選択すべきファイル名の候補から除外する。
【００３８】
ＳＴＥＰ３：ＳＴＥＰ２にて絞り込まれた候補の中で、最も多くの再生環境指定文字列を含むファイル名を、再生すべきデモ用コンテンツが格納されたファイルのファイル名として選択する。例えば、ＳＴＥＰ２にて絞り込まれた候補が、「Demo_機種a_46in_eng.mpg」と「Demo_機種a.mpg」とである場合、より多くの再生環境指定文字列を含む前者を、再生すべきデモ用コンテンツが格納されたファイルのファイル名として選択する。
【００３９】
ＳＴＥＰ４：ＳＴＥＰ３にて選択されたファイル名の数が２以上の場合、ＳＴＥＰ３にて選択されたファイル名の中で、最も優先度の高い再生環境を指定する再生環境指定文字列を含むファイル名を、再生すべきデモ用コンテンツが格納されたファイルのファイル名として選択する。例えば、ＳＴＥＰ３にて選択されたファイル名が「Demo_46in.mpg」と「Demo_機種a.mpg」とである場合、インチサイズよりも優先度の高い再生環境である機種名を指定する再生環境指定文字列「機種ａ」を含む後者を、再生すべきデモ用コンテンツが格納されたファイルのファイル名として選択する。
【００４０】
なお、ＳＴＥＰ１にて選択された全てのファイル名がＳＴＥＰ２にて候補から除外された場合には、再生環境を問わない汎用デモ用コンテンツが格納されたデフォルトファイルのファイル名、すなわち、識別子と拡張子とのみからファイル名「Demo.jpg」を、再生すべきデモ用コンテンツが格納されたファイルのファイル名として選択する。
【００４１】
図２（ｂ）は、属性および設定の異なる表示装置Ａ〜Ｄと、表示装置Ａ〜Ｄにおいて選択されるデモ用ファイルのファイル名との関係を例示した図である。
【００４２】
図２（ｂ）に示す表示装置Ａ（機種名が「機種ａ」、インチサイズが「４６」、言語設定の設定値が「英語」）においては、ファイルＦ１〜Ｆ３のファイル名の全てが選択すべきファイル名の候補となり、その中から再生環境指定文字列を最も多く含むファイル名「Demo_機種a_46in_eng.mpg」が選択される。
【００４３】
図２（ｂ）に示す表示装置Ｂ（機種名が「機種ａ」、インチサイズが「４６」、言語設定の設定値が「日本語」）においては、図２（ａ）に示したファイルＦ１〜Ｆ３のファイル名のうち、表示装置Ｂの設定に合致しない再生環境指定文字列「eng」を含むファイル名「Demo_機種a_46in_eng.mpg」が、選択すべきファイル名の候補から除外される。そして、除外されずに残ったファイル名「Demo_機種a.mpg」および「Demo_46in.mpg」は、何れも１つの再生環境指定文字列を含むので、より優先度の高い再生環境指定文字列を含むファイル名「Demo_機種a.mpg」が、再生すべきデモ用コンテンツが格納されたファイルのファイル名として選択される。
【００４４】
図２（ｂ）に示す表示装置Ｃ（機種名が「機種ｂ」、インチサイズが「４６」、言語設定の設定値が「日本語」）においては、図２（ａ）に示したファイルＦ１〜Ｆ３のファイル名のうち、表示装置Ｃの属性に合致しない再生環境指定文字列「機種ａ」を含むファイル名「Demo_機種a_46in_eng.mpg」および「Demo_機種a.mpg」が、選択すべきファイル名の候補から除外さる。そして、除外されずに残った唯一のファイル名「Demo_46in.mpg」が、再生すべきデモ用コンテンツが格納されたファイルのファイル名として選択される。
【００４５】
図２（ｂ）に示す表示装置Ｄ（機種名が「機種ｂ」、インチサイズが「４２」、言語設定の設定値が「英語」）においては、図２（ａ）に示したファイルＦ１〜Ｆ３のファイル名がどれも表示装置Ｄの属性または設定に合致しない。ファイルＦ１〜Ｆ３のファイル名は、どれも、表示装置Ｄの属性に合致しない再生環境指定文字列「機種ａ」、または、表示装置Ｄの属性に合致しない再生環境指定文字列「46in」を含むためである。したがって、汎用デモ用コンテンツが格納されたファイルＦ４のファイル名「Demo.jpg」が選択される。
【００４６】
このようにファイル名に含まれる再生環境指定文字列を利用してファイル名を選択する構成を採用することによって、表示装置Ａにおいては、表示装置Ａに最も適したデモ用コンテンツを再生することができるし、表示装置Ｂにおいては、表示装置Ｂに最も適したデモ用コンテンツを再生することができる。
【００４７】
なお、ここでは、外部デバイス３０に４つのファイルが記録されている場合を例に挙げて説明したが、外部デバイス３０にさらに多くのファイルが記憶されていてもよいことは言うまでもない。
【００４８】
また、外部デバイス３０に記録されるファイルは、メーカから配布されファイルに限るものではなく、例えば、メーカからダウンロードしたファイル、販売店で独自に作成したファイルであってもよい。
【００４９】
また、ここでは、再生環境の優先度を、機種名、インチサイズ、言語設定の順としたが、これに限定されるものではない。例えば、言語設定、機種名、インチサイズの順としてもよい。また、ここでは、再生環境指定文字列により指定可能な再生環境として、機種名、インチサイズ、及び、言語設定を例に挙げて説明したが、これに限定されるものではなく、さらに他の再生環境が指定可能であってもよい。
【００５０】
また、ここでは、ファイル名を参照して再生すべきデモ用ファイルを特定する構成について説明したが、本発明はこれに限定されるものではない。すなわち、フォルダ名を参照してデモ用ファイルが格納されたフォルダを特定した上で、そのフォルダに格納されたファイルをデモ用ファイルとして読み出す構成を採用してもよい。この場合、デモ用ファイルを格納したフォルダに図２（ａ）に示したようなフォルダ名を付与しておけばよい。
【００５１】
〔制御部の動作〕
テレビ１が備える制御部１０の動作について、図３を用いて以下に説明する。図３は、テレビ１が備える制御部１０の動作を示すフローチャートである。
【００５２】
制御部１０は、外部デバイス３０が接続されたか否かを判定する（ステップＳ１）。制御部１０において外部デバイス３０が接続されていないと判定された場合（ステップＳ１においてＮＯ）、制御部１０は、再び外部デバイス３０が接続されたか否かを判定する（ステップＳ１）。制御部１０において外部デバイス３０が接続されたと判定されるまで（ステップＳ１におていＹＥＳ）、ステップＳ１の動作が繰り返される。
【００５３】
外部デバイス３０が接続されたと判定された場合（ステップＳ１におていＹＥＳ）、ファイル・フォルダ情報取得部１１は、外部デバイス３０に記憶されているファイル・フォルダ情報を取得する（ステップＳ２）。
【００５４】
外部デバイス３０に記憶されているファイル・フォルダ情報を取得した後、ファイル名選択部１２は、ファイル・フォルダ情報に含まれる各ファイル名に含まれる再生環境指定文字列を参照することによって、再生すべきデモ用コンテンツが格納されたファイルのファイル名（特定のファイル名）を選択する（ステップＳ３）。ステップＳ３にてファイル名を選択することができなかった場合（テレビ１の属性または設定に合致しない再生環境指定文字列を含まないファイル名が存在しなかった場合）、ファイル名選択部１２は、デモ用コンテンツであることを示す識別子と拡張子とのみからなるファイル名（デフォルトファイルのファイル名）を選択する（ステップＳ４）。ファイル・フォルダ情報にデフォルトファイルのファイル名が含まれていなかった場合（ステップＳ４においてＮＯ）、再び制御部１０は、外部デバイス３０が接続されたか否かを判定する（ステップＳ１）。特定のファイル名が選択される（ステップＳ３においてＹＥＳ）まで、又は、デフォルトファイルのファイル名が選択される（ステップＳ４においてＹＥＳ）まで、ステップＳ１からＳ４までの動作が繰り返される。
【００５５】
特定のファイル名が選択された場合（ステップＳ３においてＹＥＳ）、又は、デフォルトファイルのファイル名が選択された場合（ステップＳ４においてＹＥＳ）、コンテンツ再生部１３は、選択されたファイル名を有するファイルに格納されたコンテンツが再生可能であるか否かを判定する（ステップＳ５）。選択されたファイル名を有するファイルに格納されたコンテンツが再生可能でないと判定した場合（ステップＳ５においてＮＯ）、制御部１０は、再び外部デバイス３０が接続されたか否かを判定する（ステップＳ１）。選択されたファイル名のファイルが再生可能であると判定されるまで（ステップＳ５においてＹＥＳ）、ステップＳ１からＳ５までの動作が繰り返される。
【００５６】
選択されたファイル名を有するファイルに格納されたコンテンツが再生可能であると判定された場合（ステップＳ５においてＹＥＳ）、コンテンツ再生部１３は、選択されたファイル名を有するファイルに格納されたデモ用コンテンツを再生し、表示部２０に再生されたデモ用コンテンツを表示する（ステップＳ６）。
【００５７】
なお、本実施形態では、テレビ１に外部デバイス３０が接続された場合にデモ用コンテンツを再生する構成を示したが、これに限定されるものではない。例えば、外部デバイス３０が接続されている状態で、テレビ１に電力を供給した時点でデモ用コンテンツを再生する構成、ユーザからデモ用コンテンツの再生を行う指示を取得した場合にデモ用コンテンツを再生する構成、テレビ１が店頭にてデモンストレーションを行う装置として初期化された場合にデモ用コンテンツを再生する構成などを採用してもよい。
【００５８】
なお、本実施形態では、外部デバイス３０に記録されているデモ用コンテンツを再生する構成を示したが、これに限定されるものではなく、例えば、ネットワークを介して専用のサーバとテレビ１とを接続することによって、専用のサーバに記録されているデモ用コンテンツを再生する構成を採用してもよい。
【００５９】
制御部１０が上述の構成を備えることによって、デモ用のコンテンツをテレビ１の図示しないメモリ２１に記録しておく必要がなく、メモリ２１の容量が少なくなってしまうことを防ぐことが出来る。また、デモ用のコンテンツを記録しておくためにメモリ２１の容量を大きくする必要がないため、メモリ２１にデモ用のコンテンツを記録する場合と比較して、容量を削減することができる。
【００６０】
なお、本実施形態では、特定のファイル名が選択されず、デフォルトファイルのファイル名も選択されなかった場合、再び外部デバイス３０が接続されているかを判定する構成を示したが、これに限定されるものではない。例えば、特定のファイル名が選択されず、デフォルトファイルのファイル名も選択されなかった場合に、テレビ１に予め記録されているデモ用コンテンツを再生する構成を採用してもよい。
【００６１】
なお、本実施形態では、外部デバイス３０にデモ用コンテンツが記録されている場合を例に挙げて説明したが、これに限定されるものではない。例えば、テレビ１の機能説明用の動画を記録していてもよい。これによって、テレビの機能を動画を用いて表示することが出来る。
【００６２】
〔プログラムおよび記録媒体〕
テレビ１に含まれている制御部１０は、ハードウェアロジックによって構成すればよい。又は、次のように、ＣＰＵ（Central Processing Unit）を用いてソフトウェアによって実現してもよい。
【００６３】
すなわち、制御部１０は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【００６４】
そして、本発明の目的は、制御部１０のプログラムメモリに固定的に担持されている場合に限らず、上記プログラムのプログラムコード（実行形式プログラム、中間コードプログラム、又は、ソースプログラム）を記録した記録媒体をテレビ１に供給し、テレビ１が上記記録媒体に記録されている上記プログラムコードを読み出して実行することによっても、達成可能である。
【００６５】
上記記録媒体は、特定の構造又は種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【００６６】
また、制御部１０（又はテレビ１）を通信ネットワークと接続可能に構成しても、本発明の目的を達成できる。この場合、上記のプログラムコードを、通信ネットワークを介して制御部１０に供給する。この通信ネットワークは制御部１０にプログラムコードを供給できるものであればよく、特定の種類又は形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【００６７】
この通信ネットワークを構成する伝送媒体も、プログラムコードを伝送可能な任意の媒体であればよく、特定の構成又は種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【００６８】
本発明は上述した実施形態に限定されるものではなく、請求項に示した範囲で種々の変更が可能であり、実施形態にそれぞれ開示された技術的手段を適宜組み合わせて得られる実施形態についても本発明の技術的範囲に含まれる。
【００６９】
本発明は上述した各実施形態に限定されるものではなく、請求項に示した範囲で種々の変更が可能であり、実施形態にそれぞれ開示された技術的手段を適宜組み合わせて得られる実施形態についても本発明の技術的範囲に含まれる。
【産業上の利用可能性】
【００７０】
本発明は、テレビ、レコーダ（ＢＤレコーダ等）、パーソナルコンピュータなどに好適に適用することができる。
【符号の説明】
【００７１】
１      テレビ（再生装置）
１０    制御部
１１    ファイル・フォルダ情報取得部
１２    ファイル名選択部（選択手段）
１３    コンテンツ再生部（コンテンツ再生手段）
２０    表示部
２１    メモリ
３０    外部デバイス（外部記録装置）
【図１】
2011166423.tif 000003
【図２】
2011166423.tif 000004
【図３】
2011166423.tif 000005